(57)【特許請求の範囲】
【請求項１】
ノード（１１０、１１５）における方法であって、
第１のレイヤにおいて関連付けられているデータパケットのタグであって、前記関連付けられているデータパケットの送信に関連する１つまたは複数のパラメータを指示するタグを生成すること（２０４）と、
前記第１のレイヤから別のレイヤに前記タグを伝えること（２０８）と、
前記別のレイヤにおいて、前記関連付けられているデータパケットを、前記タグによって指示される前記１つまたは複数のパラメータに基づいて論理チャネルにマッピングすること（２１２）と、
前記関連付けられているデータパケットの前記論理チャネルへの前記マッピングに基づいて、前記関連付けられているデータパケットの送信のために１つまたは複数のリソースを選択すること（２１６）とを含む、方法。
【請求項２】
前記第１のレイヤはアプリケーションレイヤである、請求項１に記載の方法。
【請求項３】
前記１つまたは複数のパラメータは、
前記関連付けられているデータパケットのトラフィックタイプと、
前記関連付けられているデータパケットの周期性と、
前記関連付けられているデータパケットのレイテンシ要件と、
前記関連付けられているデータパケットの優先度と、
前記ノード（１１０、１１５）のデバイスのタイプと、
前記ノード（１１０、１１５）の外部電源の存在と、
前記ノード（１１０、１１５）のバッテリステータスと、のうちの１つまたは複数を含む、請求項１に記載の方法。
【請求項４】
前記関連付けられているデータパケットの前記トラフィックタイプは、宛先グループによって指示される、請求項３に記載の方法。
【請求項５】
前記関連付けられているデータパケットの前記周期性は、前記関連付けられているデータパケットの前記優先度によって指示される、請求項３に記載の方法。
【請求項６】
前記タグに基づいて、
前記関連付けられているデータパケットの送信の電力レベルと、
前記関連付けられているデータパケットの送信の送信フォーマットと、のうちの１つまたは複数を選択することをさらに含む、請求項１に記載の方法。
【請求項７】
前記関連付けられているデータパケットを、前記タグによって指示される前記１つまたは複数のパラメータに基づいて前記論理チャネルにマッピングする際に使用するマッピングを取得することを含む、請求項１に記載の方法。
【請求項８】
前記関連付けられているデータパケットを、前記タグによって指示される前記１つまたは複数のパラメータに基づいて前記論理チャネルにマッピングする際に使用する前記マッピングを取得することは、
前記関連付けられているデータパケットを、前記タグによって指示される前記１つまたは複数のパラメータに基づいて前記論理チャネルにマッピングする際に使用する前記マッピングを、前記ノード（１１０、１１５）により決定することを含む、請求項７に記載の方法。
【請求項９】
前記関連付けられているデータパケットを、前記タグによって指示される前記１つまたは複数のパラメータに基づいて前記論理チャネルにマッピングする際に使用する前記マッピングを取得することは、
前記関連付けられているデータパケットを、前記タグに基づいて前記論理チャネルにマッピングする際に使用するマッピングを受信することを含む、請求項７に記載の方法。
【請求項１０】
前記関連付けられているデータパケットを、前記タグによって指示される前記１つまたは複数のパラメータに基づいて論理チャネルにマッピングすることは、前記タグを専用の無線ベアラにマッピングすることを含む、請求項１に記載の方法。
【請求項１１】
前記マッピングすることは、１対１のマッピングを含む、請求項１０に記載の方法。
【請求項１２】
複数のタグを単一の専用の無線ベアラにマッピングすることができる、請求項１０に記載の方法。
【請求項１３】
前記関連付けられているデータパケットの送信のために選択された前記１つまたは複数のリソースを使用して、前記関連付けられているデータパケットを送信することを含む、請求項１に記載の方法。
【請求項１４】
前記関連付けられているデータパケットが送信される前に、前記タグを１つまたは複数の他のノードに送信することを含む、請求項１に記載の方法。
【請求項１５】
前記ノード（１１０、１１５）は第１のノードであり、
前記タグは第１のタグであり、
前記関連付けられているデータパケットは第１の関連付けられているデータパケットであり、
前記方法は、第２の関連付けられているデータパケットを受信する前に、前記第２の関連付けられているデータパケットの第２のタグを、第２のノード（１１０、１１５）から受信することを含む、請求項１に記載の方法。
【請求項１６】
前記タグは、前記第１のレイヤから前記別のレイヤにビットマップとして伝えられる、請求項１に記載の方法。
【請求項１７】
前記ノードは、
無線デバイス（１１０）と、
ネットワークノード（１１５）と、のうちの１つを含む、請求項１に記載の方法。
【請求項１８】
１つまたは複数のプロセッサ（３２０、４２０）を備えるノード（１１０、１１５）であって、前記１つまたは複数のプロセッサ（３２０、４２０）は、
第１のレイヤにおいて関連付けられているデータパケットのタグであって、前記関連付けられているデータパケットの送信に関連する１つまたは複数のパラメータを指示するタグを生成すること（２０４）と、
前記第１のレイヤから別のレイヤに前記タグを伝えること（２０８）と、
前記別のレイヤにおいて、前記関連付けられているデータパケットを、前記タグによって指示される前記１つまたは複数のパラメータに基づいて論理チャネルにマッピングすること（２１２）と、
前記関連付けられているデータパケットの前記論理チャネルへの前記マッピングに基づいて、前記関連付けられているデータパケットの送信のために１つまたは複数のリソースを選択すること（２１６）とを行うように設定される、ノード（１１０、１１５）。
【請求項１９】
前記第１のレイヤはアプリケーションレイヤである、請求項１８に記載のノード（１１０、１１５）。
【請求項２０】
前記１つまたは複数のパラメータは、
前記関連付けられているデータパケットのトラフィックタイプと、
前記関連付けられているデータパケットの周期性と、
前記関連付けられているデータパケットのレイテンシ要件と、
前記関連付けられているデータパケットの優先度と、
前記ノード（１１０、１１５）のデバイスのタイプと、
前記ノード（１１０、１１５）の外部電源の存在と、
前記ノード（１１０、１１５）のバッテリステータスと、のうちの１つまたは複数を含む、請求項１８に記載のノード（１１０、１１５）。
【請求項２１】
前記関連付けられているデータパケットの前記トラフィックタイプは、宛先グループによって指示される、請求項２０に記載のノード（１１０、１１５）。
【請求項２２】
前記関連付けられているデータパケットの前記周期性は、前記関連付けられているデータパケットの前記優先度によって指示される、請求項２０に記載のノード（１１０、１１５）。
【請求項２３】
前記１つまたは複数のプロセッサ（３２０、４２０）は、前記タグに基づいて、
前記関連付けられているデータパケットの送信の電力レベルと、
前記関連付けられているデータパケットの送信の送信フォーマットと、のうちの１つまたは複数を選択するように設定される、請求項１８に記載のノード（１１０、１１５）。
【請求項２４】
前記１つまたは複数のプロセッサ（３２０、４２０）は、前記関連付けられているデータパケットを、前記タグによって指示される前記１つまたは複数のパラメータに基づいて前記論理チャネルにマッピングする際に使用するマッピングを取得するように設定される、請求項１８に記載のノード（１１０、１１５）。
【請求項２５】
前記関連付けられているデータパケットを、前記タグによって指示される前記１つまたは複数のパラメータに基づいて前記論理チャネルにマッピングする際に使用する前記マッピングを取得するように設定された前記１つまたは複数のプロセッサ（３２０、４２０）は、
前記関連付けられているデータパケットを、前記タグによって指示される前記１つまたは複数のパラメータに基づいて前記論理チャネルにマッピングする際に使用する前記マッピングを、前記ノード（１１０、１１５）により決定するように設定された１つまたは複数のプロセッサ（３２０、４２０）を含む、請求項２４に記載のノード（１１０、１１５）。
【請求項２６】
前記関連付けられているデータパケットを、前記タグによって指示される前記１つまたは複数のパラメータに基づいて前記論理チャネルにマッピングする際に使用する前記マッピングを取得するように設定された前記１つまたは複数のプロセッサ（３２０、４２０）は、
前記関連付けられているデータパケットを、前記タグに基づいて前記論理チャネルにマッピングする際に使用するマッピングを受信するように設定された１つまたは複数のプロセッサ（３２０、４２０）を含む、請求項２４に記載のノード（１１０、１１５）。
【請求項２７】
前記関連付けられているデータパケットを、前記タグによって指示される前記１つまたは複数のパラメータに基づいて論理チャネルにマッピングするように設定された前記１つまたは複数のプロセッサ（３２０、４２０）は、前記タグを専用の無線ベアラにマッピングするように設定された１つまたは複数のプロセッサ（３２０、４２０）を含む、請求項１８に記載のノード（１１０、１１５）。
【請求項２８】
前記マッピングすることは、１対１のマッピングを含む、請求項２７に記載のノード（１１０、１１５）。
【請求項２９】
複数のタグを単一の専用の無線ベアラにマッピングすることができる、請求項２７に記載のノード（１１０、１１５）。
【請求項３０】
前記１つまたは複数のプロセッサ（３２０、４２０）は、前記関連付けられているデータパケットの送信のために選択された前記１つまたは複数のリソースを使用して、前記関連付けられているデータパケットを送信するように設定される、請求項１８に記載のノード（１１０、１１５）。
【請求項３１】
前記１つまたは複数のプロセッサ（３２０、４２０）は、前記関連付けられているデータパケットが送信される前に、前記タグを１つまたは複数の他のノードに送信するように設定される、請求項１８に記載のノード（１１０、１１５）。
【請求項３２】
前記ノード（１１０、１１５）は第１のノードであり、
前記タグは第１のタグであり、
前記関連付けられているデータパケットは第１の関連付けられているデータパケットであり、
前記１つまたは複数のプロセッサ（３２０、４２０）は、第２の関連付けられているデータパケットを受信する前に、前記第２の関連付けられているデータパケットの第２のタグを、第２のノードから受信するように設定される、請求項１８に記載のノード（１１０、１１５）。
【請求項３３】
前記１つまたは複数のプロセッサ（３２０、４２０）は、前記第１のレイヤから前記別のレイヤに前記タグをビットマップとして伝えるように設定される、請求項１８に記載のノード（１１０、１１５）。
【請求項３４】
前記ノード（１１０、１１５）は、
無線デバイス（１１０）と、
ネットワークノード（１１５）と、のうちの１つを含む、請求項１８に記載のノード（１１０、１１５）。
【発明の詳細な説明】
【技術分野】
【０００１】
本出願は、米国特許法第１１９条（ｅ）の定めにより、本明細書において開示全体を参照により援用する、「Ｐｅｒ−ｐａｃｋｅｔ  ｒｅｓｏｕｒｃｅ  ｐｏｏｌ  ｓｅｌｅｃｔｉｏｎ  ｉｎ  ＬＴＥ  Ｖ２ｘ  ｓｙｓｔｅｍ」と題する２０１５年９月２５日に出願したＰＣＴ出願第ＰＣＴ／ＣＮ２０１５／０９０８３５号明細書の優先権の利益を主張するものである。
【０００２】
本発明は、概して、無線通信に関し、より詳細にはＬＴＥ  Ｖ２Ｘシステムにおけるパケット単位のリソースプール選択に関する。
【背景技術】
【０００３】
リリース１２の間、第３世代パートナーシッププロジェクト（３ＧＰＰ）のＬｏｎｇ  Ｔｅｒｍ  Ｅｖｏｌｕｔｉｏｎ（ＬＴＥ）標準は、商用および公共安全のアプリケーション両方を対象とするデバイスツーデバイス（Ｄ２Ｄ）（「サイドリンク」または近傍サービス（ＰｒｏＳｅ）と指定されている）機能のサポートに伴って拡張されてきた。リリース１２  ＬＴＥによって可能となった例示のアプリケーションは、デバイスディスカバリであり、デバイスは、デバイスおよびアプリケーションの識別を搬送するディスカバリメッセージをブロードキャストして検出することによって、別のデバイスの近傍性および関連するアプリケーションを検知することができる。もう１つの例示のアプリケーションは、デバイス間で直接終端される物理チャネルに基づく直接通信である。
【０００４】
Ｄ２Ｄの潜在的な拡張の１つは、車車間−路車間−人車間（Ｖ２Ｘ）通信のサポートであり、これは車両、歩行者、およびインフラストラクチャの間の直接通信の任意の組み合わせを含む。Ｖ２Ｘ通信は、使用可能である場合にはネットワークインフラストラクチャを活用することができるが、カバレッジが不足する場合であっても少なくとも基本Ｖ２Ｘ接続が可能である必要がある。ＬＴＥベースのＶ２Ｘインターフェースを提供することは、ＬＴＥのスケールメリットにより経済的に有利となり、専用のＶ２Ｘ技術を使用する場合と比較すると、ネットワークインフラストラクチャ（Ｖ２Ｉ／Ｖ２Ｎ）との通信、人車間（Ｖ２Ｐ）通信、および車車間（Ｖ２Ｖ）通信の間のより緊密な統合を可能にすることができる。
【０００５】
Ｖ２Ｘ通信は、非安全および安全な情報を共に搬送することができ、ここで各アプリケーションおよびサービスは、（たとえば、レイテンシ、信頼性、容量などに関して）固有の要件セットに関連付けられてもよい。
【０００６】
Ｖ２Ｘ通信の技術および市場において急激な変化が見られるため、さらなるＬＴＥベースのＶ２Ｘの研究が望ましいと考えられる。接続された車両の研究プロジェクトおよびフィールドテストが世界中で多数行われている。たとえば、中国において、中国通信標準化境界（ＣＣＳＡ：Ｃｈｉｎａ  Ｃｏｍｍｕｎｉｃａｔｉｏｎｓ  Ｓｔａｎｄａｒｄｓ  Ａｓｓｏｃｉａｔｉｏｎ）では、２０１４年に時分割（ＴＤ）ＬＴＥに基づく車両安全アプリケーションの実現可能性研究を終了しており、車両アプリケーション向けのＬＴＥに基づく通信の一連の業界標準化を開始した。２０１５年３月、ＣＣＳＡはまた、中国におけるＶ２Ｘおよび一部の自動車工業連合向けの無線スペクトルに関する研究を開始した。この研究に基づいて、中国の国家規制当局は、接続された車両にスペクトルを割り振ることになる。
【０００７】
３ＧＰＰ  ＳＡ１＃６９では、近年、（１）Ｓｌ−１５０２８４、「Ｐｒｏｐｏｓｅｄ  ｓｔｕｄｙ  ｏｎ  ＬＴＥ−ｂａｓｅｄ  Ｖ２Ｘ」、ＬＧ  Ｅｌｅｃｔｒｏｎｉｃｓ  Ｉｎｃ．、３ＧＰＰ  ＴＳＧ−ＳＡ  ＷＧ１  Ｍｅｅｔｉｎｇ  ＃６９、２０１５年２月、および（２）ＳＰ−１５００５１、「Ｎｅｗ  ＷＩＤ  ｆｏｒ  Ｓｔｕｄｙ  ｏｎ  ＬＴＥ  ｓｕｐｐｏｒｔ  ｆｏｒ  Ｖ２Ｘ  ｓｅｒｖｉｃｅｓ（ＦＳ＿Ｖ２ＸＬＴＥ）、ｆｒｏｍ  Ｓ１−１５０２８４」、３ＧＰＰ  ＴＳＧ  ＳＡ  Ｍｅｅｔｉｎｇ  ＃６７、２０１５年３月、というＶ２ＸサービスのためのＬＴＥサポートに関する新しいリリース１４の研究に合意した。これらの研究の目的は、Ｖ２Ｖ、Ｖ２Ｐ、およびＶ２Ｉ／Ｎの本質的なユースケースおよび要件を詳細に調べることである。Ｖ２Ｖは、車両間のＬＴＥベースの通信をカバーする。Ｖ２Ｐは、車両と、個人によって携行されるデバイス（たとえば、歩行者、自転車利用者、車両運転者、または歩行者に携行されるハンドヘルド端末）との間のＬＴＥベースの通信をカバーする。一方、Ｖ２Ｉ／Ｎ（車インフラストラクチャ／ネットワーク間）は、車両と、たとえば路側ユニット（ＲＳＵ）のようなネットワークノードとの間のＬＴＥベースの通信をカバーする。ＲＳＵは、ｅＮｏｄｅＢ（ｅＮＢ）または固定のユーザ機器（ＵＥ）において実施された交通インフラストラクチャエンティティ（たとえば、速度通知を送信するエンティティ）である。
【０００８】
ＳＡ１の研究では、安全サービスおよび非安全サービス、ならびにユニキャスト、マルチキャスト、および／またはブロードキャスト通信の既存のＬＴＥ技術を使用する可能性を検討する。
【０００９】
さらに近年では、リリース１３  ＲＡＮ  ＳＩが承認された。その目的は、ＬＴＥベースのＶ２Ｘ（たとえば、Ｖ２Ｖ、Ｖ２Ｉ／Ｎ、およびＶ２Ｐ）を運用するために必要とされる新しい機能を評価すること、および３ＧＰＰ  ＴＲ  ２２．８８５、ｖ０．２．０、「Ｓｔｕｄｙ  ｏｎ  ＬＴＥ  Ｓｕｐｐｏｒｔ  ｆｏｒ  Ｖ２Ｘ  Ｓｅｒｖｉｃｅｓ」において規定されている車両サービスの潜在的な機能拡張を調査することである。
【００１０】
標準的なＶ２Ｘトラフィックは、使用されている固有のサービスに依存するトラフィックのプロパティに関して大きく異なる。たとえば、パケットサイズおよびパケット周期性は、検討されるサービスに応じて大きく異なる可能性もある。さらに、さまざまなサービスが、たとえば信頼性、レンジ、およびレイテンシに関して幅広く変化する無線要件によって特徴付けられる。無線レベルの振る舞いは、パフォーマンスを最適化するために、サービス品質（ＱｏＳ）要件およびトラフィックのプロパティを考慮に入れることが望ましいと考えられる。しかし、トラフィックを生成するアプリケーションは、概して、無線レイヤには透過的である。
【００１１】
上記の問題は、３ＧＰＰにおいて知られている。既存の手法では、（たとえば、ＶｏＩＰ、ベストエフォートなど）さまざまなアプリケーションおよびトラフィックのタイプに関連するさまざまなタイプのベアラを規定することによってこれらの問題に対処しようと試みた。しかし、Ｖ２Ｘトラフィックは、要件および特性に関して、極めて異種混合的である。したがって、すべての要件が明示的にサポートされなければならない場合、結果としておびただしい数の異なるベアラをもたらすことになる。
【００１２】
加えて、標準的な無線システム（たとえば、ＬＴＥ）は、さまざまな無線インターフェースによるさまざまなタイプのノードを規定する。たとえば、ｅＮＢ無線インターフェースは、ＵＥにおけるインターフェースとは異なる。また、異なるノードにおいて実施されたアーキテクチャおよびプロトコルにおいて重大な相違もある。ノードのタイプとインターフェースの間のマッピングは、もはや考慮されることはない（たとえば、Ｖ２Ｘの場合）。たとえば、ＲＳＵは、さまざまな方法で実施され得るネットワークノードである。たとえば、無線レイヤは、配置の選択に応じて、ｅＮＢ、またはＵＥと、同じインターフェースを使用することができる。たとえば、ＵＥタイプのインターフェースの場合、無線レイヤの振る舞いは、自動車として使用されるＵＥから予想される振る舞いとは異なることがある。同様に、ＵＥは、自動車に搭載されることも、またはＶ２Ｘサービスを実行するハンドヘルドデバイスとして使用されることもあり得る。これらの場合であっても、固有の無線インターフェースは、これを実施しているノードのタイプに応じて異なる動作を行うことになっている。
【００１３】
高度道路交通システム（ＩＴＳ）アプリケーションレイヤは、ＥＴＳＩＴＳ  ３０２  ６３７−２、「Ｉｎｔｅｌｌｉｇｅｎｔ  Ｔｒａｎｓｐｏｒｔ  Ｓｙｓｔｅｍｓ  （ＩＴＳ）：Ｖｅｈｉｃｕｌａｒ  Ｃｏｍｍｕｎｉｃａｔｉｏｎｓ：Ｂａｓｉｃ  Ｓｅｔ  ｏｆ  Ａｐｐｌｉｃａｔｉｏｎｓ：Ｐａｒｔ  ２：Ｓｐｅｃｉｆｉｃａｔｉｏｎ  ｏｆ  Ｃｏｏｐｅｒａｔｉｖｅ  Ａｗａｒｅｎｅｓｓ  Ｂａｓｉｃ  Ｓｅｒｖｉｃｅ」、２０１４年１１月、において標準化される。標準化の際に、１）トラフィックタイプの変動：セクション２．１に記述されているようにＶ２Ｖ、Ｖ２Ｉ（およびＩ２Ｖ）ならびにＶ２Ｐ（およびＰ２Ｖ）トラフィックは同じＩＴＳアプリケーションレイヤによって生成されてもよい、および２）トラフィック周期性の変動：ＩＴＳアプリケーションレイヤの場合、主要／通常アプリケーションメッセージのうちの２つは協調認識メッセージ（ＣＡＭ）および分散型環境通知メッセージ（ＤＥＮＭ）である、という異なる大きさのさまざまなタイプのパケットを生成することになる。２つのメッセージは、一般に、経時変化的に生成される。ＣＡＭメッセージの場合、デフォルトの生成時間は、毎秒１つのメッセージであるが、たとえば位置の変化、速度の変化、および／または方向の変化により、一時的に追加のメッセージがさらに頻繁に（その場合、最大周波数は１０Ｈｚである）生成されてもよい。ＤＥＮＭメッセージは常にイベントトリガー型メッセージである。上記のさまざまなカテゴリー化を考慮して、さまざまなパケットのＱｏＳを確保するために、アクセス階層がアプリケーションレイヤからの各パケットを異なる方法で処理することが必要である。
【００１４】
リリース１３、ＰｒｏＳｅパケット単位の優先度（ＰＰＰＰ：ＰｒｏＳｅ  Ｐｅｒ−Ｐａｃｋｅｔ  Ｐｒｉｏｒｉｔｙ）は、３ＧＰＰ  ＴＳ  ２３．３０３  ｖ１３．１．０、「Ｐｒｏｘｉｍｉｔｙ−ｂａｓｅｄ  ｓｅｒｖｉｃｅｓ（ＰｒｏＳｅ）」において説明されているＰｒｏＳｅ通信の優先度を提供するための手段として提案される。この特徴の主要機能性は、以下のように説明されてもよい。ＰＰＰＰは、プロトコルデータ単位（ＰＤＵ）に関連付けられているスカラー値であり、そのＰＤＵの送信に適用されるべき優先度処理を規定する。ＰｒｏＳｅパケット単位の優先度は、宛先レイヤ−２  ＩＤには無関係であり、１対１および１対多のＰｒｏＳｅ直接通信の両方に適用する。リリース１３のＰＰＰＰは、ＰＣ５（ＰｒｏＳｅ直接ディスカバリ、ＰｒｏＳｅ直接通信、およびＰｒｏＳｅＵＥネットワーク間中継のための制御およびユーザプレーンに使用されるＰｒｏＳｅ対応のＵＥの間の参照点）と、ＵＥ−ＮＷ中継のためのＰＣ５とＵｕ間のベアラマッピング（ＵＥとｅＮｏｄｅＢ間のＥ−ＵＴＲＡＮの無線プロトコル）とを介するＰｒｏＳｅ通信についてのみ規定される。優先度とＰｒｏＳｅ通信リソースプールの間のマッピングが、さらなる研究のためにマッピングに関する詳細を伴うこともある。したがって、ＰＰＰＰはある種のＱｏＳを可能にする。しかし、それは一部の態様に限定されており、したがってＶ２Ｘのシナリオには十分ではない。
【発明の概要】
【００１５】
既存の手法により前述の問題に対処するため、ノードにおける方法が開示される。方法は、第１のレイヤにおいて関連付けられているデータパケットのタグを生成することであって、生成されたタグは関連付けられているデータパケットの送信に関連する１つまたは複数のパラメータを指示することを含む。方法は、第１のレイヤから別のレイヤにタグを伝えることを含む。方法は、別のレイヤにおいて、関連付けられているデータパケットを、タグによって指示される１つまたは複数のパラメータに基づいて論理チャネルにマッピングすることを含む。方法は、関連付けられているデータパケットの論理チャネルへのマッピングに基づいて、関連付けられているデータパケットの送信のために１つまたは複数のリソースを選択することを含む。
【００１６】
特定の実施形態において、ノードは、無線デバイスと、ネットワークノードとのうちの１つを備えることができる。タグは、第１のレイヤから別のレイヤにビットマップとして伝えられてもよい。第１のレイヤは、アプリケーションレイヤであってもよい。１つまたは複数のパラメータは、関連付けられているデータパケットのトラフィックタイプと、関連付けられているデータパケットの周期性と、関連付けられているデータパケットのレイテンシ要件と、関連付けられているデータパケットの優先度と、ノードのデバイスのタイプと、ノードの外部電源の存在と、ノードのバッテリステータスと、のうちの１つまたは複数を含むことができる。関連付けられているデータパケットのトラフィックタイプは、宛先グループによって指示されてもよい。関連付けられているデータパケットの周期性は、関連付けられているデータパケットの優先度によって指示されてもよい。特定の実施形態において、方法は、タグに基づいて、関連付けられているデータパケットの送信の電力レベルと、関連付けられているデータパケットの送信の送信フォーマットとのうちの１つまたは複数を選択することを含むことができる。
【００１７】
特定の実施形態において、方法は、関連付けられているデータパケットを、タグによって指示される１つまたは複数のパラメータに基づいて論理チャネルにマッピングする際に使用するマッピングを取得することを含むことができる。関連付けられているデータパケットを、タグによって指示される１つまたは複数のパラメータに基づいて論理チャネルにマッピングする際に使用するマッピングを取得することは、関連付けられているデータパケットを、タグによって指示される１つまたは複数のパラメータに基づいて論理チャネルにマッピングする際に使用するマッピングを、ノードにより決定することを含むことができる。関連付けられているデータパケットを、タグによって指示される１つまたは複数のパラメータに基づいて論理チャネルにマッピングする際に使用するマッピングを取得することは、関連付けられているデータパケットを、タグに基づいて論理チャネルにマッピングする際に使用するマッピングを受信することを含むことができる。
【００１８】
特定の実施形態において、関連付けられているデータパケットを、タグによって指示される１つまたは複数のパラメータに基づいて論理チャネルにマッピングすることは、タグを専用の無線ベアラにマッピングすることを含むことができる。マッピングすることは、１対１のマッピングを備えることができる。特定の実施形態において、複数のタグを単一の専用の無線ベアラにマッピングすることができる。
【００１９】
特定の実施形態において、方法は、関連付けられているデータパケットの送信のために選択された１つまたは複数のリソースを使用して、関連付けられているデータパケットを送信することを含むことができる。方法は、関連付けられているデータパケットが送信される前に、タグを、１つまたは複数の他のノードに送信することを含むことができる。特定の実施形態において、ノードは、第１のノードであってもよく、タグは第１のタグであってもよく、関連付けられているデータパケットは第１の関連付けられているデータパケットであってもよく、方法は、第２の関連付けられているデータパケットを受信する前に、第２の関連付けられているデータパケットの第２のタグを、第２のノードから受信することを含むことができる。
【００２０】
さらに、ノードが開示される。ノードは、１つまたは複数のプロセッサを備える。１つまたは複数のプロセッサは、第１のレイヤにおいて関連付けられているデータパケットのタグを生成するように設定され、生成されたタグは関連付けられているデータパケットの送信に関連する１つまたは複数のパラメータを指示する。１つまたは複数のプロセッサは、第１のレイヤから別のレイヤにタグを伝えるように設定される。１つまたは複数のプロセッサは、別のレイヤにおいて、関連付けられているデータパケットを、タグによって指示される１つまたは複数のパラメータに基づいて論理チャネルにマッピングするように設定される。１つまたは複数のプロセッサは、関連付けられているデータパケットの論理チャネルへのマッピングに基づいて、関連付けられているデータパケットの送信のために１つまたは複数のリソースを選択するように設定される。
【００２１】
本開示の特定の実施形態は、１つまたは複数の技術的利点を提供することができる。１つの例として、特定の実施形態は、Ｖ２Ｘのシナリオにおいてサービス品質の実施を有利に支援することができる。もう１つの例として、特定の実施形態は、アプリケーションおよび／または送信側デバイスのプロパティの無線レベルにおける認識を有利に可能にすることができる。もう１つの例として、特定の実施形態は、サイドリンクに限定されないタグを使用するためのフレームワークを有利に確立することができ、サービス品質を強化するため、またはその他のシナリオにサービス品質を導入するために使用されてもよい。その他の利点は、当業者には容易に明らかとなろう。特定の実施形態は、列挙されている利点をどれも有していないか、利点の一部、または全部を有することができる。
【００２２】
開示される実施形態ならびにそれらの特徴および利点をより完全に理解するために、これ以降、添付の図面と併せて以下の説明に参照が行われる。
【図面の簡単な説明】
【００２３】
【図１】特定の実施形態によるネットワークの例示的な実施形態を示すブロック図である。
【図２】特定の実施形態によるノードにおける方法を示す流れ図である。
【図３】特定の実施形態による例示的な無線デバイスを示すブロック概略図である。
【図４】特定の実施形態による例示的なネットワークノードを示すブロック概略図である。
【図５】特定の実施形態による例示的な無線ネットワークコントローラまたはコアネットワークノードを示すブロック概略図である。
【図６】特定の実施形態による例示的な無線デバイスを示すブロック概略図である。
【図７】特定の実施形態による例示的なネットワークノードを示すブロック概略図である。
【図８】特定の実施形態によるネットワークのもう１つの例示的な実施形態を示すブロック図である。
【発明を実施するための形態】
【００２４】
上記で説明されたように、さまざまなパケットのＱｏＳを確保するために、アクセス階層がアプリケーションレイヤからの各パケットを異なる方法で処理することが必要である。ＰＰＰＰはＰｒｏＳｅ通信の優先度を提供するための手段として提案されているが、この手法は一部の態様に限定されており、したがってＶ２ｘのシナリオには十分ではない。たとえば、さまざまなトラフィックタイプ（たとえば、Ｖ２Ｖ、Ｖ２Ｐ、Ｖ２Ｉ）のＱｏＳを区別するために、ソースおよび／または宛先アドレス／ＩＤは、入力因子と見なされる必要があり、これはＰＰＰＰフレームワークの範囲を超えている。さらに、ＰＰＰＰは、ＰＣ５インターフェースおよびＵＥ−ネットワーク中継（Ｕｕ−ＰＣ５ベアラマッピング）に限定され、一般的な意味では、ＵｕおよびＰＣ５はいずれもＶ２Ｘメッセージを配信する代替的ルートと見なされて、パケット単位のプリファレンスの影響を被る可能性がある。本開示は、既存の手法に関連付けられている上記およびその他の欠点に対処することができるさまざまな実施形態を企図する。
【００２５】
既存の手法による上記で説明されている欠陥に対処するため、特定の実施形態は、Ｖ２Ｘのシナリオにおけるパケット単位のリソースプール選択の実施態様を有利に実現することができる、通常はプロトコルスタックの上位レイヤから下位レイヤへの、レイヤ間シグナリングメカニズムを備える。本明細書において使用される場合、リソースプールは、ＰｒｏＳｅ通信に使用されるリソースプールに限定されることはない一般的な項目であるが、Ｕｕベースのメッセージ配信のためのリソースプールの代替も含む。
【００２６】
特定の実施形態において、パケットごとに規定されるタグが使用され、リソースプールを選択するためにアクセス階層によって使用されるが、これはＰｒｏＳｅベースの配信およびセルラーベースの配信のためのリソースプールを含む。たとえば、特定の実施形態において、ノードは、第１のレイヤにおいて関連付けられているデータパケットのタグを生成する。ノードは、任意の適切なエンティティであってよい。たとえば、および非限定的に、特定の実施形態において、ノードは、無線デバイスまたはネットワークノード（たとえば、ＲＳＵ）であってもよい。場合によっては、第１のレイヤは、アプリケーションレイヤであってもよい。生成されたタグは、関連付けられているデータパケットの送信に関連する１つまたは複数のパラメータを指示する。ノードは、第１のレイヤから別のレイヤにタグを伝える。別のレイヤにおいて、ノードは、関連付けられているデータパケットを、タグによって指示される１つまたは複数のパラメータに基づいて論理チャネルにマッピングする。ノードは、関連付けられているデータパケットの論理チャネルへのマッピングに基づいて、関連付けられているデータパケットの送信のために１つまたは複数のリソースを選択する。特定の実施形態において、ノードは、関連付けられているデータパケットの送信のために選択された１つまたは複数のリソースを使用して関連付けられているデータパケットを送信する。
【００２７】
本開示の特定の実施形態は、１つまたは複数の技術的利点を提供することができる。１つの例として、特定の実施形態は、Ｖ２Ｘのシナリオにおいてサービス品質の実施を有利に支援することができる。もう１つの例として、特定の実施形態は、アプリケーションおよび／または送信側デバイスのプロパティの無線レベルにおける認識を有利に可能にすることができる。もう１つの例として、特定の実施形態は、タグを使用するためのフレームワークを有利に確立することができ、このフレームワークは、サイドリンクに限定されず、サービス品質を強化するため、またはその他のシナリオにサービス品質を導入するために使用されてもよい。その他の利点は、当業者には容易に明らかとなろう。特定の実施形態は、列挙されている利点を有していないか、利点の一部、または全部を有することができる。
【００２８】
図１は、特定の実施形態によるネットワークの例示的な実施形態を示すブロック図である。さらに詳細には、図１は、１つまたは複数の無線デバイス１１０（同義的にＵＥ１１０と称されてもよい）を含むネットワーク１００およびネットワークノード１１５（同義的にｅＮＢ１１５と称されてもよい）の実施形態を示すブロック図である。図１の例示の実施形態において、無線デバイス１１０Ａはスマートフォンであり、無線デバイス１１０Ｂ〜Ｄは車両であり、無線デバイス１１０Ｅは、たとえばスマートフォンのような無線デバイス１１０を有する歩行者である。無線デバイス１１０は、ネットワークノード１１５、または１つまたは複数の他の無線デバイス１１０と無線インターフェースを介して通信することができる。たとえば、無線デバイス１１０Ａ、１１０Ｂ、および１１０Ｄは、ネットワークノード１１５に無線信号を送信することができる、および／またはネットワークノード１１５から無線信号を受信することができる。無線デバイス１１０はまた、他の無線デバイス１１０に無線信号を送信することができる、および／または他の無線デバイス１１０から無線信号を受信することができる。たとえば、無線デバイス１１０Ｂ、１１０Ｃ、１１０Ｄ、および１１０Ｅは、Ｄ２Ｄ通信を使用して通信することができる。無線信号は、ボイストラフィック、データトラフィック、制御信号、および／または任意の他の適切な情報を含むことができる。一部の実施形態において、ネットワークノード１１５に関連付けられている無線信号カバレッジのエリアは、セルと称されてもよい。
【００２９】
特定の実施形態において、ネットワークノード１１５は、無線ネットワークコントローラとインターフェースをとることができる。無線ネットワークコントローラは、ネットワークノード１１５を制御することができ、特定の無線リソース管理機能、モビリティ管理機能、および／またはその他の適切な機能を提供することができる。特定の実施形態において、無線ネットワークコントローラの機能は、ネットワークノード１１５に含まれてもよい。無線ネットワークコントローラは、コアネットワークノードとインターフェースをとることができる。特定の実施形態において、無線ネットワークコントローラは、相互接続ネットワークを介してコアネットワークノードとインターフェースをとることができる。相互接続ネットワークは、オーディオ、ビデオ、信号、データ、メッセージ、またはそれらの任意の組み合わせを送信することができる任意の相互接続システムを示すことができる。相互接続ネットワークは、公衆交換電話網（ＰＳＴＮ）、パブリックまたはプライベートデータネットワーク、ローカルエリアネットワーク（ＬＡＮ）、大都市圏ネットワーク（ＭＡＮ）、ワイドエリアネットワーク（ＷＡＮ）、ローカル、地域、もしくはグローバル通信、またはインターネットのようなコンピュータネットワーク、有線もしくは無線ネットワーク、企業イントラネット、もしくはそれらの組み合わせを含む任意のその他の適切な通信リンクの全部または一部を含むことができる。
【００３０】
一部の実施形態において、コアネットワークノードは、無線デバイス１１０の通信セッションの確立およびさまざまなその他の機能を管理することができる。無線デバイス１１０は、非アクセス階層レイヤを使用して、特定の信号をコアネットワークノードと交換することができる。非アクセス階層シグナリングにおいて、無線デバイス１１０とコアネットワークノードの間の信号は、無線アクセスネットワークを通じて透過的に渡されてもよい。特定の実施形態において、ネットワークノード１１５は、たとえばＸ２インターフェースのような、ノード間インターフェースを介して１つまたは複数のネットワークノードとインターフェースをとることができる。
【００３１】
上記で説明されているように、ネットワーク１００の例示の実施形態は、１つまたは複数の無線デバイス１１０、および無線デバイス１１０と（直接または間接的に）通信することができる１つまたは複数のさまざまなタイプのネットワークノードを含むことができる。
【００３２】
一部の実施形態において、無線デバイス（またはＵＥ）という非限定的な用語が使用される。本明細書において説明される無線デバイス１１０は、無線信号を介してネットワークノード１１５または別の無線デバイスと通信することができる任意のタイプの無線デバイスであってもよい。無線デバイス１１０はまた、無線通信デバイス、ターゲットデバイス、Ｄ２Ｄ  ＵＥ、ＲＳＵ、マシンタイプ通信ＵＥまたはマシンツーマシン通信（Ｍ２Ｍ）が可能なＵＥ、低コストおよび／または低複雑性ＵＥ、ＵＥ装備のセンサー、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）などであってもよい。無線デバイス１１０は、そのサービングセルに関して通常のカバレッジまたは拡張カバレッジのいずれでも動作することができる。拡張カバレッジは、同義的に拡大カバレッジと称されてもよい。無線デバイス１１０はまた、複数のカバレッジレベル（たとえば、通常カバレッジ、基本カバレッジ、ロバストカバレッジ、エクストリームカバレッジ、拡張カバレッジレベル１、拡張カバレッジレベル２、拡張カバレッジレベル３など）において動作することもできる。場合によっては、無線デバイス１１０はまた、カバレッジ範囲外のシナリオにおいて動作することもできる。
【００３３】
また、一部の実施形態において、「ネットワークノード」という一般的な用語が使用される。これは、基地局（ＢＳ）、無線基地局、ＮｏｄｅＢ、ＲＳＵ、ＭＳＲ  ＢＳのようなマルチスタンダード無線（ＭＳＲ）無線ノード、エボルブドＮｏｄｅＢ（ｅＮＢ）、ネットワークコントローラ、無線ネットワークコントローラ（ＲＮＣ）、基地局コントローラ（ＢＳＣ）、リレーノード、リレードナーノード制御リレー、無線基地局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）内のノード、マルチセル／マルチキャスト協調エンティティ（ＭＣＥ）、コアネットワークノード（たとえば、ＭＳＣ、ＭＭＥなど）、Ｏ＆Ｍ、ＯＳＳ、ＳＯＮ、測位ノード（たとえば、Ｅ−ＳＭＬＣ）、ＭＤＴ、変換ノード（たとえば、ＰＬＡＴ）または任意の他の適切なネットワークノードを備えることができる任意の種類のネットワークノードであってもよい。
【００３４】
ネットワークノードおよび無線デバイス（および／またはＵＥ）のような用語は、非限定的なものと見なされるべきであり、特にこの２つの間に特定の階層関係を暗示するものではなく、概して「ｅＮｏｄｅＢ」はデバイス１、「無線デバイス」はデバイス２と見なされてもよく、これらの２つのデバイスは一部の無線チャネルを介して相互に通信する。
【００３５】
無線デバイス１１０、ネットワークノード１１５、および（無線ネットワークコントローラまたはコアネットワークノードのような）その他のネットワークノードの例示の実施形態は、以下の図３〜図８に関してさらに詳細に説明される。
【００３６】
図１は、ネットワーク１００の特定の配列を示すが、本開示は、本明細書において説明されるさまざまな実施形態が、任意の適切な設定を有するさまざまなネットワークに適用され得ることを企図する。たとえば、ネットワーク１００は、任意の適切な数の無線デバイス１１０およびネットワークノード１１５、ならびに無線デバイス間または無線デバイスと（固定電話のような）別の通信デバイスの間の通信をサポートするのに適切な任意の追加の要素を含むことができる。さらに、特定の実施形態がＬＴＥネットワークにおいて実施されるように説明されることもあるが、実施形態は、任意の適切な通信標準（５Ｇ標準を含む）をサポートし、任意の適切なコンポーネントを使用する任意の適切なタイプの電気通信システムにおいて実施されてもよく、無線デバイスが信号（たとえば、データ）を受信および／または送信する任意の無線アクセス技術（ＲＡＴ）またはマルチＲＡＴシステムに適用可能である。たとえば、本明細書において説明されるさまざまな実施形態は、ＬＴＥ、ＬＴＥ−Ａｄｖａｎｃｅｄ、５Ｇ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、他の適切な無線アクセス技術、または１つまたは複数の無線アクセス技術の任意の適切な組み合わせに適用可能であってもよい。さらに、特定の実施形態がＶ２Ｘアプリケーションのコンテキストにおいて説明されることもあるが、さまざまな実施形態がその他のアプリケーションに有利に適用されてもよい。
【００３７】
上記で説明されるように、Ｖ２Ｘ通信は、車両、歩行者、およびインフラストラクチャの間の直接通信の任意の組み合わせを含むことができる。図１は、本発明の開示のさまざまな実施形態が適用され得るＶ２Ｘシナリオの種類を示す。Ｖ２Ｉおよび／またはＶ２Ｎ通信の例として、無線デバイス１１０Ａ、１１０Ｂ、および１１０Ｄは、たとえばＲＳＵであってもよいネットワークノード１１５と無線で通信することができる。Ｖ２Ｐ通信の例として、無線デバイス１１０Ｂおよび１１０Ｄは、無線デバイス１１０Ｅに関連付けられている歩行者と通信することができる。Ｖ２Ｖ通信の例として、無線デバイス１１０Ｂ、１１０Ｃ、および１１０Ｄは、相互に無線で通信することができる。
【００３８】
本開示により企図される例示の実施形態の一部は、これ以降、添付の図面を参照してさらに詳細に説明される。しかし、その他の実施形態は本開示の範囲内に含まれ、開示は、本明細書において示される例示の実施形態のみに限定されるものと解釈されるべきではない。正確には、これらの実施形態は、例示により提供され、限定的なものではない。説明全体を通じて、類似する番号は類似する要素を示す。
【００３９】
上記で説明されるように、無線レイヤが標準化される。原理上は、同じチップセットが、異なるタイプのデバイス（たとえば、無線デバイス１１０およびネットワークノード１１５）において使用されてもよい。したがって、無線チップセットが、本明細書において説明されるシナリオの各々において正しく振る舞うことができるようにすることが望ましい。既存の手法による上記で説明されている欠陥に対処するため、特定の実施形態は、通常はプロトコルスタックの上位レイヤから下位レイヤへの、レイヤ間シグナリングメカニズムを備える。１つの目的は、アプリケーションおよび／または送信側デバイスのプロパティ、たとえば、トラフィックの無線要件、トラフィックの無線プロパティ、デバイスのタイプ（たとえば、ＲＳＵ、ハンドヘルドデバイス、車両搭載デバイス、緊急車両搭載デバイスなど）、デバイスの追加の制約（たとえば、外部電源の存在、バッテリ電力低下状況など）の任意の組み合わせの無線レベルにおける認識を可能にすることである。一部のシナリオにおいて、デバイスのタイプに関する情報（およびデバイスの制約またはその他の適切な情報）は、アプリケーションレベルにおいて認識されてもよい（たとえば、デバイスのタイプに応じてインストールされた異なるソフトウェア）。
【００４０】
送信機無線レイヤは、上位レイヤによって取得される情報を考慮に入れ、それに応じて動作することができる。たとえば、Ｖ２Ｘ信号の送信のためのリソース（つまり、リソースプール）、電力レベル、送信フォーマットなどは、上記のパラメータに基づいて選択されてもよい。特定の実施形態において、この選択は、一部の設定可能またはあらかじめ定められたマッピングまたはルールに基づいてもよい。場合によっては、調整可能な振る舞いに基づくＱｏＳの最適化は、たとえ所与のベアラタイプ内であっても可能である。
【００４１】
特定の実施形態において、無線デバイス１１０またはネットワークノード１１５のようなノードは、第１のレイヤにおいて関連付けられているデータパケットのタグを生成することができる。生成されたタグは、関連付けられているデータパケットの送信に関連する１つまたは複数のパラメータを指示する。場合によっては、第１のレイヤは、アプリケーションレイヤであってもよい。そのようなシナリオにおいて、タグは、任意の適切な方法で規定されてもよい。場合によっては、タグは、関連付けられているデータパケットのヘッダに含まれている情報を備えることができる。あるいは、タグは、制御シグナリングおよび／またはスケジューリング割り当てに含まれてもよい。
【００４２】
パケットごとに規定されて、生成されたタグは、優先度以外の（または優先度に加えて）複数の因子を反映するために使用されてもよい。１つの例として、タグは、トラフィックタイプを反映するために使用されてもよい。これは、たとえば、Ｖ２Ｖ、Ｖ２Ｐ、および／またはＶ２Ｉ／Ｎのトラフィックを区別するために使用されてもよい。もう１つの例として、タグは、周期性を反映するために使用されてもよい。これは、各トラフィックタイプ内で、異なる到着間時刻に従ってパケットを区別するために使用されてもよい。説明するために、３つのＣＡＭメッセージを伴う以下の例を検討する。３つのＣＡＭメッセージが、間に５００ｍｓの間隔をあけてＡ−Ｂ−Ｃの順に到着できると仮定する。ＣＡＭメッセージＡおよびＣは、１秒の周期性のパケットとしてタグ付けされてもよく、一方ＣＡＭメッセージＢは、０．５秒の周期性のパケットとしてタグ付けされてもよい。ＣＡＭメッセージは必須の周期性として１秒を使用し、ＣＡＭメッセージＢは一時的な形でトリガーされるので、ＣＡＭメッセージＢは、ＣＡＭメッセージＡおよびＣと比べて低い優先度として処理されてもよい。
【００４３】
もう１つの例として、生成されたタグは、レイテンシを反映するために使用されてもよい。レイテンシの要件は、さまざまなシナリオにおいて異なる場合がある。たとえば、パケットが周期性メッセージ（たとえば、ＣＡＭメッセージ）であるか、またはイベントトリガー型メッセージ（たとえば、ＤＥＮＭメッセージ）であるか。さらにもう１つの例として、生成されたタグは、優先度を反映するために使用されてもよい。そのような場合、タグはまた、同じトラフィックタイプに属し、異なる優先度によって区別され得る同じレイテンシ要件を有するパケット間の優先順位付けを含むこともできる。
【００４４】
場合によっては、タグは、たとえば、上記の因子および任意の他の適切な因子の組み合わせに対応することもできる。頻繁に使用されるタグは、他のタグよりも多く圧縮されてもよい。特定の実施形態において、ネットワークノード１１５および／または無線デバイス１１０は、頻繁に使用される組み合わせを時間の経過と共に学習する可能性を有することができるので、要件の特定の組み合わせへのタグのマッピングに影響を与える。
【００４５】
特定の実施形態において、ノード（たとえば、無線デバイス１１０またはネットワークノード１１５）は、第１のレイヤ（たとえば、アプリケーションレイヤ）から別のレイヤ（たとえば、メディアアクセス制御（ＭＡＣ）レイヤ）にタグを伝える。これは、実際的に有用なパラメータのセットの間の相互依存を利用することによって、さらなる最適化が達成されるようにすることができる。たとえば、ＲＳＵタイプのノードは、特定のアプリケーションおよび特定のトラフィックパラメータなどとのみ互換性がある。生成されたタグにより、有用なパラメータのスペースをコンパクトなマッピングにエンコードすることが可能であり、実際的な関心対象のパラメータの組み合わせのみが伝えられる。本開示は、シグナリングが、任意の適切な方法で行われ得ることを企図する。たとえば、シグナリングは、無線レイヤによって読み出され得るプロトコルの一部のフィールドで搬送されるビットマップを使用することによって行われてもよい。これは、交換されるパケットに対応する、タグの１つの例である。同様に、シグナリングは、データパケットに含まれているヘッダに必ずしも依存しない一部の制御手順により行われてもよい。たとえば、特定のパケットに関連するタグは、パケットの実際の送信の前に無線レイヤを介して伝えられてもよく、それにより周辺エリアの無線デバイス１１０がタグを読み取ることができるようにし、タグは次いで輻輳／フロア制御ポリシーのために使用されてもよい。
【００４６】
別のレイヤにおいて、関連付けられているデータパケットは、タグによって指示される１つまたは複数のパラメータに基づいて論理チャネルにマッピングされる。場合によっては、別のレイヤは、ＭＡＣレイヤであってもよい。マッピングは、任意の適切な方法で実行されてもよい。特定の実施形態において、ノードは、関連付けられているデータパケットを、タグによって指示される１つまたは複数のパラメータに基づいて論理チャネルにマッピングする際に使用するマッピングを取得する。場合によっては、ノードは、関連付けられているデータパケットを、タグによって指示される１つまたは複数のパラメータに基づいて論理チャネルにマッピングする際に使用するマッピングを決定することができる。場合によっては、ノードは、関連付けられているデータパケットを、タグに基づいて論理チャネルにマッピングする際に使用するマッピングを受信する。関連付けられているデータパケットを、タグによって指示される１つまたは複数のパラメータに基づいて論理チャネルにマッピングすることは、タグを専用の無線ベアラにマッピングすることを含むことができる。マッピングは、１対１のマッピングであってもよい。場合によっては、複数のタグが、単一の専用の無線ベアラにマッピングされてもよい。
【００４７】
特定の実施形態において、タグを専用の無線ベアラにマッピングすることができ、マッピングは任意の適切な形態をとることができる。たとえば、特定の実施形態において、マッピングは、１対１のマッピングを含むことができるか、または１つのベアラが、セルラートラフィックを含む多数のタグを介して共有されてもよい。
【００４８】
アプリケーションレイヤから論理チャネルへのマッピングは、任意の適切な方法で行われてもよい。たとえば、リリース１２において、ＰｒｏＳｅ論理チャネルは、ソースおよび宛先Ｌ２アドレスによって区別される。場合によっては、パケット単位のタグを可能にするため、異なるトラフィックタイプが異なる宛先グループとして反映されてもよく（たとえば、車両により発信されるパケットの場合、Ｖ２Ｖ、Ｖ２Ｐ、およびＶ２Ｉメッセージを搬送するために異なる宛先グループが使用される）、異なる論理チャネルが使用されるようになっている。
【００４９】
もう１つの例として、異なる周期性は、異なる優先度として反映されてもよく、論理チャネルを選択するために優先度と論理チャネルの間のマッピングに依存することができる。説明するために、３つのＣＡＭメッセージが間に５００ｍｓの間隔をあけてＡ−Ｂ−Ｃの順に到着できる上記で説明された例を想起されたい。ＣＡＭメッセージは必須の周期性として１秒を使用し、ＣＡＭメッセージＢは一時的な形でトリガーされるので、ＣＡＭメッセージＢは、ＣＡＭメッセージＡおよびＣと比べて低い周期性として処理されてもよい。したがって、ＡおよびＣはより高い優先度を有するものとして処理されるので、ＣＡＭメッセージＡおよびＣは、高い優先度のトラフィックを搬送する論理チャネルにマッピングされてもよい。
【００５０】
さらにもう１つの例として、Ｕｕ−ベースの論理チャネルもまた、このマッピングの候補と見なされる。Ｕｕ−ベースの論理チャネルは、固有のトラフィックタイプおよび優先度レベルに限定される論理チャネルと見なされてもよい。詳細なマッピングルールは、任意の適切な方法で決定されてもよい。たとえば、特定の実施形態において、詳細なマッピングルールは、無線デバイス１１０によって決定されてもよいか、または（たとえば、システム情報ブロック（ＳＩＢ）または無線リソース制御（ＲＲＣ）専用のシグナリングを使用して）ネットワークシグナリングにより設定可能であってもよい。特定の実施形態において、優先度およびトラフィックタイプからリソースプールへのマッピングは、（たとえば、ＳＩＢまたは専用のＲＲＣシグナリングのような）ネットワークシグナリングにより設定可能であってもよい。
【００５１】
関連付けられているデータパケットが、タグによって指示される１つまたは複数のパラメータに基づいて論理チャネルにマッピングされると、ノードは、関連付けられているデータパケットの論理チャネルへのマッピングに基づいて、関連付けられているデータパケットの送信のための１つまたは複数のリソースを選択する。リソースプールは、任意の適切な方法で区別されてもよい。たとえば、特定の実施形態において、リソースプールは、このプールを使用して配信されることを許容されるトラフィックの優先度、このプールを使用して配信されることを許容されるトラフィックタイプ（またはグループＩＤの形態であってもよい）、および／または任意の他の適切な方法に関して区別されてもよい。
【００５２】
次いで、ノードは、関連付けられているデータパケットの送信のために選択された１つまたは複数のリソースを使用して関連付けられているデータパケットを送信することができる。場合によっては、ノードは、関連付けられているデータパケットが送信される前に、タグを、１つまたは複数の他のノードに送信することができる。特定の実施形態において、ノードは、第２の関連付けられているデータパケットを受信する前に、第２の関連付けられているデータパケットの第２のタグを、第２のノードから受信することができる。
【００５３】
本明細書において説明される概念のうち特定のものが、いくつかの実施形態を参照して説明された。しかし、当業者によって容易に理解されるように、上記で開示されている実施形態以外の実施形態は、同等に可能であり、本開示の概念の範囲内に含まれる。同様に、多数の異なる組み合わせが説明されているが、すべての可能な組み合わせが開示されているわけではない。当業者であれば、その他の組み合わせが存在し、それらが本発明の概念の範囲に含まれることを理解するであろう。さらに、当業者によって理解されるように、本明細書において開示される実施形態は、そのようなものとしてその他の標準および通信システムにも適用可能であり、その他の特徴に関連して開示される特定の形態からの任意の特徴は、任意の他の形態に適用可能であるか、または異なる特徴と組み合わされてもよい。
【００５４】
図２は、特定の実施形態によるノードにおける方法２００を示す流れ図である。方法は、ステップ２０４で開始し、ここでノードは、第１のレイヤにおいて関連付けられているデータパケットのタグを生成し、生成されたタグは関連付けられているデータパケットの送信に関連する１つまたは複数のパラメータを指示する。特定の実施形態において、ノードは、無線デバイスと、ネットワークノードとのうちの１つを備えることができる。場合によっては、第１のレイヤは、アプリケーションレイヤであってもよい。１つまたは複数のパラメータは、関連付けられているデータパケットのトラフィックタイプと、関連付けられているデータパケットの周期性と、関連付けられているデータパケットのレイテンシ要件と、関連付けられているデータパケットの優先度と、ノードのデバイスのタイプと、ノードの外部電源の存在と、ノードのバッテリステータスと、のうちの１つまたは複数を含むことができる。場合によっては、関連付けられているデータパケットのトラフィックタイプは、宛先グループによって指示されてもよい。場合によっては、関連付けられているデータパケットの周期性は、関連付けられているデータパケットの優先度によって指示されてもよい。
【００５５】
ステップ２０８において、タグは、第１のレイヤから別のレイヤに伝えられる。特定の実施形態において、タグは、第１のレイヤから別のレイヤにビットマップとして伝えられてもよい。
【００５６】
ステップ２１２において、関連付けられているデータパケットは、別のレイヤにおいて、タグによって指示される１つまたは複数のパラメータに基づいて論理チャネルにマッピングされる。特定の実施形態において、関連付けられているデータパケットを、タグによって指示される１つまたは複数のパラメータに基づいて論理チャネルにマッピングすることは、タグを専用の無線ベアラにマッピングすることを含むことができる。場合によっては、マッピングすることは、１対１のマッピングを備えることができる。場合によっては、複数のタグは、単一の専用の無線ベアラにマッピングされてもよい。特定の実施形態において、方法は、関連付けられているデータパケットを、タグによって指示される１つまたは複数のパラメータに基づいて論理チャネルにマッピングする際に使用するマッピングを取得することを含むことができる。場合によっては、関連付けられているデータパケットを、タグによって指示される１つまたは複数のパラメータに基づいて論理チャネルにマッピングする際に使用するマッピングを取得することは、関連付けられているデータパケットを、タグによって指示される１つまたは複数のパラメータに基づいて論理チャネルにマッピングする際に使用するマッピングを、ノードにより決定することを含むことができる。場合によっては、関連付けられているデータパケットを、タグによって指示される１つまたは複数のパラメータに基づいて論理チャネルにマッピングする際に使用するマッピングを取得することは、関連付けられているデータパケットを、タグに基づいて論理チャネルにマッピングする際に使用するマッピングを受信することを含むことができる。
【００５７】
ステップ２１６において、１つまたは複数のリソースが、関連付けられているデータパケットの論理チャネルへのマッピングに基づいて、関連付けられているデータパケットの送信のために選択される。特定の実施形態において、方法は、関連付けられているデータパケットの送信のために選択された１つまたは複数のリソースを使用して関連付けられているデータパケットを送信することを含むことができる。場合によっては、方法は、関連付けられているデータパケットが送信される前に、タグを、１つまたは複数の他のノードに送信することを含むことができる。
【００５８】
特定の実施形態において、方法は、タグに基づいて、関連付けられているデータパケットの送信の電力レベルと、関連付けられているデータパケットの送信の送信フォーマットのうちの１つまたは複数を選択することを含むことができる。特定の実施形態において、ノードは第１のノードであってもよく、タグは第１のタグであってもよく、関連付けられているデータパケットは第１の関連付けられているデータパケットであってもよい。方法は、第２の関連付けられているデータパケットを受信する前に、第２の関連付けられているデータパケットの第２のタグを、第２のノードから受信することを含むことができる。
【００５９】
図３は、特定の実施形態による例示的な無線デバイスを示すブロック概略図である。無線デバイス１１０は、セルラーまたは移動体通信システムにおいて、ノードおよび／または別の無線デバイスと通信する任意のタイプの無線デバイスを示すことができる。無線デバイス１１０の例は、携帯電話、スマートフォン、ＰＤＡ（携帯情報端末）、ポータブルコンピュータ（たとえば、ラップトップ、タブレット）、センサー、モデム、マシン型通信（ＭＴＣ）デバイス／マシンツーマシン（Ｍ２Ｍ）デバイス、ラップトップ組み込み機器（ＬＥＥ）、ラップトップ搭載機器（ＬＭＥ）、ＵＳＢドングル、Ｄ２Ｄ対応デバイス、ＲＳＵ、または無線通信を提供することができるその他のデバイスを含む。無線デバイス１１０はまた、一部の実施形態において、ＵＥ、ステーション（ＳＴＡ）、デバイス、または端末と称されてもよい。無線デバイス１１０は、送受信機３１０、プロセッサ３２０、およびメモリ３３０を含む。一部の実施形態において、送受信機３１０は、（たとえば、アンテナ３４０ａを介して）ネットワークノード１１５への無線信号の送信、およびネットワークノード１１５からの無線信号の受信を容易にし、プロセッサ３２０は、無線デバイス１１０によって提供されるものとして上記で説明された機能性の一部または全部を提供するための命令を実行し、メモリ３３０は、プロセッサ３２０によって実行される命令を格納する。
【００６０】
プロセッサ３２０は、図１〜図２に関して上記で説明されている無線デバイス１１０の機能のような、無線デバイス１１０の説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ３２０は、たとえば、１つまたは複数のコンピュータ、１つまたは複数の中央演算処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／またはその他の論理を含むことができる。
【００６１】
メモリ３３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ３３０の例は、コンピュータメモリ（たとえば、ランダムアクセスメモリ（ＲＡＭ）または読み取り専用メモリ（ＲＯＭ））、大容量ストレージ媒体（たとえば、ハードディスク）、取り外し可能ストレージ媒体（たとえば、コンパクトディスク（ＣＤ）またはデジタルビデオディスク（ＤＶＤ））、および／またはプロセッサ３２０によって使用され得る情報、データ、および／または命令を格納する任意のその他の揮発性または不揮発性の、非一時的コンピュータ可読および／またはコンピュータ実行可能メモリデバイスを含む。
【００６２】
無線デバイス１１０のその他の実施形態は、上記で説明されている機能性および／または（上記で説明されている解決策をサポートするために必要な任意の機能性を含む）追加の機能性のいずれかを含む、無線デバイスの機能性の特定の態様を提供することに責任を負う、図３に示されているコンポーネント以外の追加のコンポーネントを含むことができる。単に１つの例として、無線デバイス１１０は、入力デバイスおよび回路、出力デバイス、および１つまたは複数の同期ユニットまたは回路を含むことができ、これらはプロセッサ３２０の一部であってもよい。入力デバイスは、無線デバイス１１０へのデータのエントリのためのメカニズムを含む。たとえば、入力デバイスは、マイクロフォン、入力要素、ディスプレイなどのような、入力メカニズムを含むことができる。出力デバイスは、オーディオ、ビデオ、および／またはハードコピーのフォーマットでデータを出力するためのメカニズムを含むことができる。たとえば、出力デバイスは、スピーカ、ディスプレイなどを含むことができる。
【００６３】
図４は、特定の実施形態による例示的なネットワークノードを示すブロック概略図である。ネットワークノード１１５は、任意のタイプの無線ネットワークノードまたはＵＥおよび／または別のネットワークノードと通信する任意のネットワークノードであってもよい。ネットワークノード１１５の例は、ｅＮｏｄｅＢ、ＮｏｄｅＢ、基地局（ＢＳ）、無線アクセスポイント（たとえば、Ｗｉ−Ｆｉアクセスポイント）、低電力ノード、無線基地局（ＢＴＳ）、リレー、リレーを制御するドナーノード、送信ポイント、送信ノード、リモートＲＦユニット（ＲＲＵ）、リモート無線ヘッド（ＲＲＨ）、ＭＳＲ  ＢＳのようなマルチスタンダード無線（ＭＳＲ）無線ノード、分散アンテナシステム（ＤＡＳ）内のノード、Ｏ＆Ｍ、ＯＳＳ、ＳＯＮ、測位ノード（たとえば、Ｅ−ＳＭＬＣ）、ＭＤＴ、ＲＳＵ、または任意の他の適切なネットワークノードを含む。ネットワークノード１１５は、ホモジニアス配置、ヘテロジニアス配置、または混合配置として、ネットワーク１００全体にわたり配置されてもよい。ホモジニアス配置は、概して、同じ（または類似する）タイプのネットワークノード１１５および／または類似するカバレッジおよびセルサイズならびにサイト間距離で構成されている配置を説明することができる。ヘテロジニアス配置は、概して、さまざまなセルサイズ、送信電力、容量、およびサイト間距離を有する多種多様なタイプのネットワークノード１１５を使用する配置を説明することができる。たとえば、ヘテロジニアス配置は、マクロセルのレイアウト全体にわたり配置された複数の低電力ノードを含むことができる。混合配置は、ホモジニアス部分とヘテロジニアス部分の混合を含むことができる。
【００６４】
ネットワークノード１１５は、送受信機４１０、プロセッサ４２０、メモリ４３０、およびネットワークインターフェース４４０のうちの１つまたは複数を含むことができる。一部の実施形態において、送受信機４１０は、（たとえば、アンテナ４４０ａを介して）無線デバイス１１０への無線信号の送信、および無線デバイス１１０からの無線信号の受信を容易にし、プロセッサ４２０は、ネットワークノード１１５によって提供されるものと上記で説明された機能性の一部または全部を提供するための命令を実行し、メモリ４３０は、プロセッサ４２０によって実行される命令を格納し、ネットワークインターフェース４４０は、ゲートウェイ、スイッチ、ルータ、インターネット、公衆交換電話網（ＰＳＴＮ）、コアネットワークノード、または無線ネットワークコントローラ１３０などのような、バックエンドのネットワークコンポーネントに信号を伝達する。
【００６５】
プロセッサ４２０は、上記の図１〜図２に関して上記で説明されているような、ネットワークノード１１５の説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ４２０は、たとえば、１つまたは複数のコンピュータ、１つまたは複数の中央演算処理装置（ＣＰＵ）、１つまたは複数のマイクロプロセッサ、１つまたは複数のアプリケーション、および／またはその他の論理を含むことができる。
【００６６】
メモリ４３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ４３０の例は、コンピュータメモリ（たとえば、ランダムアクセスメモリ（ＲＡＭ）または読み取り専用メモリ（ＲＯＭ））、大容量ストレージ媒体（たとえば、ハードディスク）、取り外し可能ストレージ媒体（たとえば、コンパクトディスク（ＣＤ）またはデジタルビデオディスク（ＤＶＤ））、および／または情報を格納する任意のその他の揮発性または不揮発性の、非一時的コンピュータ可読および／またはコンピュータ実行可能メモリデバイスを含む。
【００６７】
一部の実施形態において、ネットワークインターフェース４４０は、プロセッサ４２０に通信可能に結合されており、ネットワークノード１１５の入力を受信し、ネットワークノード１１５から出力を送信し、入力または出力またはその両方の適切な処理を実行し、他のデバイスと通信するように動作可能な任意の適切なデバイス、もしくはそれらの任意の組み合わせを示すことができる。ネットワークインターフェース４４０は、ネットワークを通じて通信するため、適切なハードウェア（たとえば、ポート、モデム、ネットワークインターフェースカードなど）、ならびにプロトコル変換およびデータ処理能力を含むソフトウェアを含むことができる。
【００６８】
ネットワークノード１１５のその他の実施形態は、上記で説明されている機能性および／または（上記で説明されている解決策をサポートするために必要な任意の機能性を含む）任意の追加の機能性のいずれかを含む、無線ネットワークノードの機能性の特定の態様を提供することに責任を負う、図４に示されているコンポーネント以外の追加のコンポーネントを含むことができる。多種多様なタイプのネットワークノードは、同じ物理ハードウェアを有するが異なる無線アクセス技術をサポートするように（たとえば、プログラミングを介して）設定されたコンポーネントを含むことができるか、または部分的もしくは全体的に異なる物理コンポーネントを表すことができる。
【００６９】
図５は、特定の実施形態による例示的な無線ネットワークコントローラまたはコアネットワークノード１３０を示すブロック概略図である。ネットワークノードの例は、移動通信交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラまたはコアネットワークノード１３０は、プロセッサ５２０、メモリ５３０、およびネットワークインターフェース５４０を含む。一部の実施形態において、プロセッサ５２０は、ネットワークノードによって提供されるものと上記で説明された機能性の一部または全部を提供するための命令を実行し、メモリ５３０は、プロセッサ５２０によって実行される命令を格納し、ネットワークインターフェース５４０は、ゲートウェイ、スイッチ、ルータ、インターネット、公衆交換電話網（ＰＳＴＮ）、ネットワークノード１１５、無線ネットワークコントローラまたはコアネットワークノード１３０などのような、任意の適切なノードに信号を伝達する。
【００７０】
プロセッサ５２０は、無線ネットワークコントローラまたはコアネットワークノード１３０の説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ５２０は、たとえば、１つまたは複数のコンピュータ、１つまたは複数の中央演算処理装置（ＣＰＵ）、１つまたは複数のマイクロプロセッサ、１つまたは複数のアプリケーション、および／またはその他の論理を含むことができる。
【００７１】
メモリ５３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ５３０の例は、コンピュータメモリ（たとえば、ランダムアクセスメモリ（ＲＡＭ）または読み取り専用メモリ（ＲＯＭ））、大容量ストレージ媒体（たとえば、ハードディスク）、取り外し可能ストレージ媒体（たとえば、コンパクトディスク（ＣＤ）またはデジタルビデオディスク（ＤＶＤ））、および／または、情報を格納する任意のその他の揮発性または不揮発性の、非一時的コンピュータ可読および／またはコンピュータ実行可能メモリデバイスを含む。
【００７２】
一部の実施形態において、ネットワークインターフェース５４０は、プロセッサ５２０に通信可能に結合されており、ネットワークノードの入力を受信し、ネットワークノードから出力を送信し、入力または出力またはその両方の適切な処理を実行し、他のデバイスと通信するように動作可能な任意の適切なデバイス、もしくはそれらの任意の組み合わせを示すことができる。ネットワークインターフェース５４０は、ネットワークを通じて通信するため、適切なハードウェア（たとえば、ポート、モデム、ネットワークインターフェースカードなど）、ならびにプロトコル変換およびデータ処理能力を含むソフトウェアを含むことができる。
【００７３】
ネットワークノードのその他の実施形態は、上記で説明されている機能性および／または（上記で説明されている解決策をサポートするために必要な任意の機能性を含む）追加の機能性のいずれかを含む、ネットワークノードの機能性の特定の態様を提供することに責任を負う、図５に示されているコンポーネント以外の追加のコンポーネントを含むことができる。
【００７４】
図６は、特定の実施形態による例示的な無線デバイスを示すブロック概略図である。無線デバイス１１０は、１つまたは複数のモジュールを含むことができる。たとえば、無線デバイス１１０は、決定モジュール６１０、通信モジュール６２０、受信モジュール６３０、入力モジュール６４０、表示モジュール６５０、および任意の他の適切なモジュールを含むことができる。無線デバイス１１０は、図１〜図２に関して上記で説明されているパケット単位のリソースプール選択のための方法を実行することができる。
【００７５】
決定モジュール６１０は、無線デバイス１１０の処理機能を実行することができる。１つの例として、決定モジュール６１０は、第１のレイヤにおいて関連付けられているデータパケットのタグを生成することができ、生成されたタグは関連付けられているデータパケットの送信に関連する１つまたは複数のパラメータを指示する。もう１つの例として、決定モジュール６１０は、別のレイヤにおいて、関連付けられているデータパケットを、タグによって指示される１つまたは複数のパラメータに基づいて論理チャネルにマッピングすることができる。さらにもう１つの例として、決定モジュール６１０は、関連付けられているデータパケットの論理チャネルへのマッピングに基づいて、関連付けられているデータパケットの送信のために１つまたは複数のリソースを選択することができる。さらなるもう１つの例として、決定モジュール６１０は、タグに基づいて、関連付けられているデータパケットの送信の電力レベルと、関連付けられているデータパケットの送信の送信フォーマットのうちの１つまたは複数を選択することができる。さらなるもう１つの例として、決定モジュール６１０は、関連付けられているデータパケットを、タグによって指示される１つまたは複数のパラメータに基づいて論理チャネルにマッピングする際に使用するマッピングを取得することができる。特定の実施形態において、関連付けられているデータパケットを、タグによって指示される１つまたは複数のパラメータに基づいて論理チャネルにマッピングする際に使用するマッピングを取得するとき、決定モジュール６１０は、関連付けられているデータパケットを、タグによって指示される１つまたは複数のパラメータに基づいて論理チャネルにマッピングする際に使用するマッピングを決定することができる。
【００７６】
決定モジュール６１０は、図３に関して上記で説明されているプロセッサ３２０のような、１つまたは複数のプロセッサを含むか、またはそれらのプロセッサに含まれてもよい。決定モジュール６１０は、上記で説明されている決定モジュール６１０および／またはプロセッサ３２０の機能のいずれかを実行するように設定されたアナログおよび／またはデジタル回路を含むことができる。上記で説明されている決定モジュール６１０の機能は、特定の実施形態において、１つまたは複数の別個のモジュールにおいて実行されてもよい。
【００７７】
通信モジュール６２０は、無線デバイス１１０の送信機能を実行することができる。たとえば、通信モジュール６２０は、第１のレイヤから別のレイヤにタグを伝えることができる。もう１つの例として、通信モジュール６２０は、関連付けられているデータパケットの送信のために選択された１つまたは複数のリソースを使用して関連付けられているデータパケットを送信することができる。さらにもう１つの例として、通信モジュール６２０は、関連付けられているデータパケットが送信される前に、タグを、１つまたは複数の他のノードに送信することができる。通信モジュール６２０は、ネットワーク１００のネットワークノード１１５の１つまたは複数にメッセージを送信することができる。通信モジュール６２０は、図３に関して上記で説明されている送受信機３１０のような、送信機および／または送受信機を含むことができる。通信モジュール６２０は、メッセージおよび／または信号を無線で送信するように設定された回路を含むことができる。特定の実施形態において、通信モジュール６２０は、決定モジュール６１０から送信のためのメッセージおよび／または信号を受信することができる。特定の実施形態において、上記で説明されている通信モジュール６２０の機能は、１つまたは複数の別個のモジュールにおいて実行されてもよい。
【００７８】
受信モジュール６３０は、無線デバイス１１０の受信機能を実行することができる。１つの例として、受信モジュール６３０は、関連付けられているデータパケットを、タグによって指示される１つまたは複数のパラメータに基づいて論理チャネルにマッピングする際に使用するマッピングを取得することができる。特定の実施形態において、関連付けられているデータパケットを、タグによって指示される１つまたは複数のパラメータに基づいて論理チャネルにマッピングする際に使用するマッピングを取得するとき、受信モジュール６３０は、関連付けられているデータパケットを、タグに基づいて論理チャネルにマッピングする際に使用するマッピングを受信することができる。もう１つの例として、受信モジュール６３０は、第２の関連付けられているデータパケットを受信する前に、第２の関連付けられているデータパケットの第２のタグを、第２のノードから受信することができる。受信モジュール６３０は、図３に関して上記で説明されている送受信機３１０のような、受信機および／または送受信機を含むことができる。受信モジュール６３０は、メッセージおよび／または信号を無線で受信するように設定された回路を含むことができる。特定の実施形態において、受信モジュール６３０は、受信されたメッセージおよび／または信号を決定モジュール６１０に通信することができる。
【００７９】
入力モジュール６４０は、無線デバイス１１０に向けられたユーザ入力を受信することができる。たとえば、入力モジュールは、キー押し下げ、ボタン押し下げ、タッチ、スワイプ、オーディオ信号、ビデオ信号、および／または任意の他の適切な信号を受信することができる。入力モジュールは、１つまたは複数のキー、ボタン、レバー、スイッチ、タッチスクリーン、マイクロフォン、および／またはカメラを含むことができる。入力モジュールは、受信された信号を決定モジュール６１０に通信することができる。
【００８０】
表示モジュール６５０は、無線デバイス１１０のディスプレイに信号を提示することができる。表示モジュール６５０は、ディスプレイおよび／またはディスプレイ上に信号を提示するように設定された任意の適切な回路およびハードウェアを含むことができる。表示モジュール６５０は、決定モジュール６１０からディスプレイ上に提示する信号を受信することができる。
【００８１】
決定モジュール６１０、通信モジュール６２０、受信モジュール６３０、入力モジュール６４０、および表示モジュール６５０は、ハードウェアおよび／またはソフトウェアの任意の適切な設定を含むことができる。無線デバイス１１０は、上記で説明されている機能性および／または（本明細書において説明されるさまざまな解決策をサポートするために必要な任意の機能性を含む）追加の機能性のいずれかを含む、任意の適切な機能性を提供することに責任を負う、図６に示されているモジュール以外の追加のモジュールを含むことができる。
【００８２】
図７は、特定の実施形態による例示的なネットワークノード１１５を示すブロック概略図である。ネットワークノード１１５は、１つまたは複数のモジュールを含むことができる。たとえば、ネットワークノード１１５は、決定モジュール７１０、通信モジュール７２０、受信モジュール７３０、および任意の他の適切なモジュールを含むことができる。一部の実施形態において、決定モジュール７１０、通信モジュール７２０、受信モジュール７３０、または任意の他の適切なモジュールのうちの１つまたは複数は、図４に関して上記で説明されているプロセッサ４２０のような、１つまたは複数のプロセッサを使用して実施されてもよい。特定の実施形態において、さまざまなモジュールのうちの２つ以上の機能は、単一のモジュールに組み合わされてもよい。ネットワークノード１１５は、図１〜図２に関して上記で説明されているパケット単位のリソースプール選択のための方法を実行することができる。
【００８３】
決定モジュール７１０は、ネットワークノード１１５の処理機能を実行することができる。たとえば、決定モジュール７１０は、第１のレイヤにおいて関連付けられているデータパケットのタグを生成することができ、生成されたタグは関連付けられているデータパケットの送信に関連する１つまたは複数のパラメータを指示する。もう１つの例として、決定モジュール７１０は、別のレイヤにおいて、関連付けられているデータパケットを、タグによって指示される１つまたは複数のパラメータに基づいて論理チャネルにマッピングすることができる。さらにもう１つの例として、決定モジュール７１０は、関連付けられているデータパケットの論理チャネルへのマッピングに基づいて、関連付けられているデータパケットの送信のために１つまたは複数のリソースを選択することができる。さらなるもう１つの例として、決定モジュール７１０は、タグに基づいて、関連付けられているデータパケットの送信の電力レベルと、関連付けられているデータパケットの送信の送信フォーマットと、のうちの１つまたは複数を選択することができる。さらなるもう１つの例として、決定モジュール７１０は、関連付けられているデータパケットを、タグによって指示される１つまたは複数のパラメータに基づいて論理チャネルにマッピングする際に使用するマッピングを取得することができる。特定の実施形態において、関連付けられているデータパケットを、タグによって指示される１つまたは複数のパラメータに基づいて論理チャネルにマッピングする際に使用するマッピングを取得するとき、決定モジュール７１０は、関連付けられているデータパケットを、タグによって指示される１つまたは複数のパラメータに基づいて論理チャネルにマッピングする際に使用するマッピングを決定することができる。
【００８４】
決定モジュール７１０は、図４に関して上記で説明されているプロセッサ４２０のような、１つまたは複数のプロセッサを含むか、またはそれらのプロセッサに含まれてもよい。決定モジュール７１０は、上記で説明されている決定モジュール７１０および／またはプロセッサ４２０の機能のいずれかを実行するように設定されたアナログおよび／またはデジタル回路を含むことができる。決定モジュール７１０の機能は、特定の実施形態において、１つまたは複数の別個のモジュールにおいて実行されてもよい。たとえば、特定の実施形態において、決定モジュール７１０の機能性の一部は、割り振りモジュールによって実行されてもよい。
【００８５】
通信モジュール７２０は、ネットワークノード１１５の送信機能を実行することができる。１つの例として、通信モジュール７２０は、第１のレイヤから別のレイヤにタグを伝えることができる。もう１つの例として、通信モジュール７２０は、関連付けられているデータパケットの送信のために選択された１つまたは複数のリソースを使用して関連付けられているデータパケットを送信することができる。さらにもう１つの例として、通信モジュール７２０は、関連付けられているデータパケットが送信される前に、タグを、１つまたは複数の他のノードに送信するができる。通信モジュール７２０は、メッセージを、無線デバイス１１０の１つまたは複数に送信することができる。通信モジュール７２０は、図４に関して上記で説明されている送受信機４１０のような、送信機および／または送受信機を含むことができる。通信モジュール７２０は、メッセージおよび／または信号を無線で送信するように設定された回路を含むことができる。特定の実施形態において、通信モジュール７２０は、決定モジュール７１０または任意の他のモジュールから送信のためのメッセージおよび／または信号を受信することができる。
【００８６】
受信モジュール７３０は、ネットワークノード１１５の受信機能を実行することができる。たとえば、受信モジュール７３０は、関連付けられているデータパケットを、タグによって指示される１つまたは複数のパラメータに基づいて論理チャネルにマッピングする際に使用するマッピングを取得することができる。特定の実施形態において、関連付けられているデータパケットを、タグによって指示される１つまたは複数のパラメータに基づいて論理チャネルにマッピングする際に使用するマッピングを取得するとき、受信モジュール７３０は、関連付けられているデータパケットを、タグに基づいて論理チャネルにマッピングする際に使用するマッピングを受信することができる。もう１つの例として、受信モジュール７３０は、第２の関連付けられているデータパケットを受信する前に、第２の関連付けられているデータパケットの第２のタグを、第２のノードから受信することができる。受信モジュール７３０は、無線デバイスから任意の適切な情報を受信することができる。受信モジュール７３０は、図４に関して上記で説明されている送受信機４１０のような、受信機および／または送受信機を含むことができる。受信モジュール７３０は、メッセージおよび／または信号を無線で受信するように設定された回路を含むことができる。特定の実施形態において、受信モジュール７３０は、受信されたメッセージおよび／または信号を決定モジュール７１０または任意の他の適切なモジュールに通信することができる。
【００８７】
決定モジュール７１０、通信モジュール７２０、受信モジュール７３０は、ハードウェアおよび／またはソフトウェアの任意の適切な設定を含むことができる。ネットワークノード１１５は、上記で説明されている機能性および／または（本明細書において説明されるさまざまな解決策をサポートするために必要な任意の機能性を含む）追加の機能性のいずれかを含む、任意の適切な機能性を提供することに責任を負う、図７に示されているモジュール以外の追加のモジュールを含むことができる。
【００８８】
図８は、特定の実施形態によるネットワークの例示的な実施形態を示すブロック図である。さらに詳細には、図８は、無線デバイス１１０およびネットワークノード１１５の詳細なビューを備える無線ネットワークを示す。簡略にするため、図８は、ネットワーク１２０、ネットワークノード１１５ａおよび１１５ｂ、ならびに無線デバイス１１０のみを示す。無線デバイス１１０およびネットワークノード１１５ａおよび１１５ｂは、図１〜図２に関して上記で説明されているパケット単位のリソースプール選択のための方法を実行することができる。
【００８９】
図８の例示の実施形態において、ネットワークノード１１５ａは、インターフェース４４０、プロセッサ４２０、ストレージ４３０、およびアンテナ４４０ａを備える。同様に、無線デバイス１１０は、インターフェース３４０、プロセッサ３２０、ストレージ３３０、およびアンテナ３４０ａを備える。これらのコンポーネントは、無線ネットワークに無線接続を提供することのような、ネットワークノードおよび／または無線デバイスの機能性を提供するために、協働することができる。さまざまな実施形態において、ネットワーク１２０は、任意の数の有線または無線ネットワーク、ネットワークノード、基地局、コントローラ、無線デバイス、リレーステーション、および／または有線または無線接続のいずれを介するかにかかわらずデータおよび／または信号の通信を容易にするかまたはその通信に参加することができる任意の他のコンポーネントを備えることができる。
【００９０】
ネットワーク１２０は、１つまたは複数のＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、大都市圏ネットワーク、およびデバイス間の通信を可能にするその他のネットワークを備えることができる。
【００９１】
ネットワークノード１１５ａは、インターフェース４４０、プロセッサ４２０、ストレージ４３０、およびアンテナ４４０ａを備える。これらのコンポーネントは、単一の大型ボックス内に位置する単一のボックスとして示される。しかし、実際には、ネットワークノード１１５ａは、単一の示されているコンポーネントを構成する複数の異なる物理コンポーネントを備えることができる（たとえば、インターフェース４４０は、有線接続用のワイヤと無線接続用の無線送受信機を結合するための端末を備えることができる）。同様に、ネットワークノード１１５ａは、複数の物理的に別個のコンポーネント（たとえば、ＮｏｄｅＢコンポーネントおよび無線ネットワークコントローラ（ＲＮＣ）コンポーネント、無線基地局（ＢＴＳ）コンポーネント、および基地局コントローラ（ＢＳＣ）コンポーネントなど）から成り、各々が各自のそれぞれのプロセッサ、ストレージ、およびインターフェースコンポーネントを有することができる。ネットワークノード１１５ａが複数の別個のコンポーネント（たとえば、ＢＴＳおよびＢＳＣコンポーネント）を備える特定のシナリオにおいて、別個のコンポーネントの１つまたは複数は、いくつかのネットワークノード間で共有されてもよい。たとえば、単一ＲＮＣは、複数のＮｏｄｅＢを制御することができる。そのようなシナリオにおいて、各々一意のＮｏｄｅＢおよびＢＳＣペアは、別個のネットワークノードであってもよい。一部の実施形態において、ネットワークノード１１５ａは、複数の無線アクセス技術（ＲＡＴ）をサポートするように設定されてもよい。そのような実施形態において、一部のコンポーネントは重複してもよく（たとえば、異なるＲＡＴに対して別個のストレージ４３０）、一部のコンポーネントが再使用されてもよい（たとえば、同じアンテナ４４０ａがＲＡＴによって共有されてもよい）。
【００９２】
プロセッサ４２０は、マイクロプロセッサ、コントローラ、マイクロコントローラ、中央演算処理装置、デジタル信号プロセッサ、特定用途向け集積回路、フィールドプログラマブルゲートアレイ、または単独で、もしくはストレージ４３０のような他のネットワークノード２００のコンポーネントと連携してネットワークノード２００の機能性を提供するように動作可能な任意のその他の適切なコンピューティングデバイス、リソース、もしくはハードウェア、ソフトウェアおよび／またはエンコードされた論理の組み合わせのうちの１つまたは複数の組み合わせであってもよい。たとえば、プロセッサ４２０は、ストレージ４３０に格納されている命令を実行することができる。そのような機能性は、本明細書において開示される特徴または利点のいずれかを含む、無線デバイス１１０ａのような無線デバイスに、本明細書において説明されるさまざまな無線の特徴を提供することを含むことができる。
【００９３】
ストレージ４３０は、永続ストレージ、ソリッドステートメモリ、リモートに搭載されたメモリ、磁気媒体、光媒体、ランダムアクセスメモリ（ＲＡＭ）、読み取り専用メモリ（ＲＯＭ）、取り外し可能媒体、または任意の他の適切なローカルもしくはリモートのメモリコンポーネントを非限定的に含む、揮発性または不揮発性のコンピュータ可読メモリの任意の形態を備えることができる。ストレージ４３０は、ネットワークノード２００によって使用される、ソフトウェアおよびエンコードされた論理を含む、任意の適切な命令、データ、または情報を格納することができる。ストレージ４３０は、プロセッサ４２０によって行われた任意の計算、および／またはインターフェース４４０を介して受信された任意のデータを格納するために使用されてもよい。
【００９４】
ネットワークノード１１５ａはまた、ネットワークノード１１５ａ、ネットワーク１２０、および／または無線デバイス１１０の間のシグナリングおよび／またはデータの有線または無線通信に使用され得るインターフェース４４０も備える。たとえば、インターフェース４４０は、ネットワークノード１１５ａが、有線接続を介してネットワーク１２０との間でデータを送信および受信できるようにするために必要とされる任意のフォーマッティング、コーディング、または変換を実行することができる。インターフェース４４０はまた、アンテナ４４０ａに結合されるかまたはその一部であってもよい無線送信機および／または受信機を含むことができる。無線は、その他のネットワークノードまたは無線デバイスに無線接続を介して送出されるべきデジタルデータを受信することができる。無線は、デジタルデータを、適切なチャネルおよび帯域幅パラメータを有する無線信号に変換することができる。次いで、無線信号は、アンテナ４４０ａを介して、適切な受信側（たとえば、無線デバイス１１０）に送信されてもよい。
【００９５】
アンテナ４４０ａは、データおよび／または信号を無線で送信および受信することができる任意のタイプのアンテナであってもよい。一部の実施形態において、アンテナ４４０ａは、たとえば２ＧＨｚから６６ＧＨｚの無線信号を送信／受信するように動作可能な、１つまたは複数の全方向性のセクタまたはパネルアンテナを備えることができる。全方向性アンテナは、任意の方向に無線信号を送信／受信するために使用されてもよい。セクタアンテナは、特定のエリア内のデバイスから無線信号を送信／受信するために使用されてもよい。パネルアンテナは、比較的一直線に無線信号を送信／受信するために使用される見通し線アンテナであってもよい。
【００９６】
無線デバイス１１０は、ネットワークノード１１５ａおよび／またはその他の無線デバイスのような、ネットワークノードとの間でデータおよび／または信号を無線で送信および受信することができる、無線エンドポイント、移動局、携帯電話、無線ローカルループ電話、スマートフォン、ユーザ機器、デスクトップコンピュータ、ＰＤＡ、セル電話、タブレット、ラップトップ、ＶｏＩＰフォンまたはハンドセット、のうちのいずれのタイプであってもよい。無線デバイス１１０は、プロセッサ３２０、ストレージ３３０、インターフェース３４０、およびアンテナ３４０ａを備える。ネットワークノード１１５ａと同様に、無線デバイス１１０のコンポーネントは、単一の大きいボックス内に位置する単一のボックスとして示されているが、実際には無線デバイスは、単一の示されているコンポーネントを構成する複数の異なる物理コンポーネントを備えることができる（たとえば、ストレージ３３０は、各マイクロチップが合計ストレージ容量の部分を表す、複数の別個のマイクロチップを備えることができる）。
【００９７】
プロセッサ３２０は、マイクロプロセッサ、コントローラ、マイクロコントローラ、中央演算処理装置、デジタル信号プロセッサ、特定用途向け集積回路、フィールドプログラマブルゲートアレイ、または単独で、もしくはストレージ３３０のようなその他の無線デバイス１１０のコンポーネントと連携して無線デバイス１１０の機能性を提供するように動作可能な任意のその他の適切なコンピューティングデバイス、リソース、もしくはハードウェア、ソフトウェアおよび／またはエンコードされた論理の組み合わせのうちの１つまたは複数の組み合わせであってもよい。そのような機能性は、本明細書において開示される特徴または利点のいずれかを含む、本明細書において説明されるさまざまな無線の特徴を提供することを含むことができる。
【００９８】
ストレージ３３０は、永続ストレージ、ソリッドステートメモリ、リモートに搭載されたメモリ、磁気媒体、光媒体、ランダムアクセスメモリ（ＲＡＭ）、読み取り専用メモリ（ＲＯＭ）、取り外し可能媒体、または任意の他の適切なローカルもしくはリモートのメモリコンポーネントを非限定的に含む、揮発性または不揮発性のメモリの任意の形態であってもよい。ストレージ３３０は、無線デバイス１１０によって使用される、ソフトウェアおよびエンコードされた論理を含む、任意の適切なデータ、命令、または情報を格納することができる。ストレージ３３０は、プロセッサ３２０によって行われた任意の計算、および／またはインターフェース３４０を介して受信された任意のデータを格納するために使用されてもよい。
【００９９】
インターフェース３４０は、無線デバイス１１０とネットワークノード１１５ａの間のシグナリングおよび／またはデータの無線通信に使用されてもよい。たとえば、インターフェース３４０は、無線デバイス１１０が、無線接続を介してネットワークノード１１５ａとの間でデータを送信および受信できるようにするために必要とされる任意のフォーマッティング、コーディング、または変換を実行することができる。インターフェース３４０はまた、アンテナ３４０ａに結合されるかまたはその一部であってもよい無線送信機および／または受信機を含むことができる。無線は、ネットワークノード１１５ａに無線接続を介して送出されるべきデジタルデータを受信することができる。無線は、デジタルデータを、適切なチャネルおよび帯域幅パラメータを有する無線信号に変換することができる。次いで、無線信号は、アンテナ３４０ａを介してネットワークノード１１５ａに送信されてもよい。
【０１００】
アンテナ３４０ａは、データおよび／または信号を無線で送信および受信することができる任意のタイプのアンテナであってもよい。一部の実施形態において、アンテナ３４０ａは、２ＧＨｚから６６ＧＨｚの無線信号を送信／受信するように動作可能な、１つまたは複数の全方向性のセクタまたはパネルアンテナを備えることができる。簡略にするため、アンテナ３４０ａは、無線信号が使用されている限りにおいて、インターフェース３４０の一部と見なされてもよい。
【０１０１】
任意の適切なステップ、方法、または機能は、たとえば、上記の図面において示されるコンポーネントおよび機器によって実行され得るコンピュータプログラム製品を通じて実行されてもよい。たとえば、ストレージ４３０は、コンピュータプログラムが格納され得るコンピュータ可読手段を備えることができる。コンピュータプログラムは、プロセッサ４２０（ならびに、インターフェース４４０およびストレージ４３０のような、任意の動作可能に結合されたエンティティおよびデバイス）に、本明細書において説明される実施形態による方法を実行させる命令を含むことができる。したがって、コンピュータプログラムおよび／またはコンピュータプログラム製品は、本明細書において開示される任意のステップを実行するための手段を提供することができる。
【０１０２】
任意の適切なステップ、方法、または機能は、図６および図７に関して上記で説明されるさまざまなモジュールのような、１つまたは複数の機能モジュールを通じて実行されてもよい。各機能モジュールは、ソフトウェア、コンピュータプログラム、サブルーチン、ライブラリ、ソースコード、または、たとえばプロセッサによって実行される実行可能命令の任意の他の形態を備えることができる。一部の実施形態において、各機能モジュールは、ハードウェアおよび／またはソフトウェアにおいて実施されてもよい。たとえば、１つまたは複数、もしくはすべての機能モジュールは、場合によってはストレージ３３０および／または４３０と協働して、プロセッサ３２０および／または４２０によって実施されてもよい。したがって、プロセッサ３２０および／または４２０ならびにストレージ３３０および／または４３０は、プロセッサ３２０および／または４２０が、命令をストレージ３３０および／または４３０から取り出し、取り出した命令を実行してそれぞれの機能モジュールが本明細書において開示される任意のステップまたは機能を実行できるように配列されてもよい。
【０１０３】
本明細書において開示される実施形態のいずれかの任意の特徴が、適当と認められるときは、任意の他の実施形態に適用されてもよいことに留意されたい。同様に、実施形態のいずれかの任意の利点は、その他の実施形態に適用することができ、その逆も可能である。開示される実施形態のその他の目的、特徴、および利点は、以下の説明から明らかとなろう。
【０１０４】
一般に、本明細書において使用されるすべての用語は、本明細書において明示的に規定されていない限り、当技術分野におけるそれらの通常の意味に従って解釈されるものとする。「１つの（ａ／ａｎ）／要素、装置、コンポーネント、手段、ステップなど」のすべての参照は、特に明記のない限り、要素、装置、コンポーネント、手段、ステップなどの少なくとも１つの例を示すものとして広義に解釈されるものとする。本明細書において開示される任意の方法のステップは、特に明記のない限り、開示されている正確な順序で実行される必要はない。
【０１０５】
本開示の範囲を逸脱することなく、本明細書において説明されるシステムおよび装置に変更、追加、または省略が行われてもよい。システムおよび装置のコンポーネントは、統合されるか、または分離されてもよい。さらに、システムおよび装置の動作は、より多いか、より少ないか、またはその他のコンポーネントによって実行されてもよい。加えて、システムおよび装置の動作は、ソフトウェア、ハードウェア、および／またはその他の論理を備える任意の適切な論理を使用して実行されてもよい。本文書において使用される「各（ｅａｃｈ）」は、セットの各構成要素、またはセットのサブセットの各構成要素を示す。
【０１０６】
本開示の範囲を逸脱することなく、本明細書において説明される方法に変更、追加、または省略が行われてもよい。方法は、より多いか、より少ないか、またはその他のステップを含むことができる。加えて、ステップは、任意の適切な順序で実行されてもよい。本明細書において説明される任意のステップは、特定の実施形態の一例に過ぎない。すべての実施形態が、開示されるすべてのステップを組み入れること、またはステップが本明細書において示されるかもしくは説明されている正確な順序で実行されることは、必要とされない。さらに、一部の実施形態は、本明細書において開示されるステップの１つまたは複数に固有のステップを含む、本明細書において例示されるかまたは説明されていないステップを含むことができる。
【０１０７】
本開示は特定の実施形態に関して説明されてきたが、実施形態の変更および置換は、当業者には明らかとなろう。したがって、実施形態の上記の説明は、本開示を制約することはない。その他の変更、代替、および改変は、添付の特許請求の範囲により規定される本開示の精神および範囲を逸脱することなく可能である。
【０１０８】
前述の説明において使用されている省略語は、以下のものを含む。
３ＧＰＰ  第３世代パートナーシッププロジェクト
ＡＰ  アクセスポイント
ＢＳ  基地局
ＢＳＣ  基地局コントローラ
ＢＴＳ  無線基地局
ＣＡＭ  協調認識メッセージ
ＣＤＭ  符号分割多重
ＣＰＥ  顧客宅内機器
Ｄ２Ｄ  デバイスツーデバイス
ＤＡＳ  分散アンテナシステム
ＤＥＮＭ  分散型環境通知メッセージ
ＤＬ  ダウンリンク
ＤＳＲＣ  専用狭域通信
Ｅ２Ｅ  エンドツーエンド
ｅＮＢ  エボルブドＮｏｄｅＢ
ＥＰＤＣＣＨ  エンハンスド物理ダウンリンク制御チャネル
ＥＴＳＩ  欧州電気通信標準化機構
Ｅ−ＵＴＲＡＮ  エボルブドユニバーサル地上無線アクセスネットワーク
ＦＤＤ  周波数分割複信
ＩｎＣ  インカバレッジ
ＩＴＳ  インテリジェントトランスポーテーションシステム
ＬＡＮ  ローカルエリアネットワーク
ＬＢＴ  リッスンビフォアトーク
ＬＥＥ  ラップトップ組み込み機器
ＬＭＥ  ラップトップ搭載機器
ＬＴＥ  Ｌｏｎｇ  Ｔｅｒｍ  Ｅｖｏｌｕｔｉｏｎ
Ｍ２Ｍ  マシンツーマシン
ＭＡＮ  大都市圏ネットワーク
ＭＣＥ  マルチセル／マルチキャスト協調エンティティ
ＭＳＲ  マルチスタンダード無線
ＮＡＳ  非アクセス階層
ＯｏＣ  アウトオブカバレッジ
ＰＤＣＣＨ  物理ダウンリンク制御チャネル
ＰＤＳＣＨ  物理ダウンリンク共有チャネル
ＰｒｏＳｅ  近傍サービス
ＰＳＴＮ  公衆交換電話網
ＰＵＳＣＨ  物理アップリンク共有チャネル
ＰＵＣＣＨ  物理アップリンク制御チャネル
ＲＢ  リソースブロック
ＲＮＣ  無線ネットワークコントローラ
ＲＲＣ  無線リソース制御
ＲＲＨ  リモート無線ヘッド
ＲＲＵ  リモートラジオユニット
ＴＤ−ＬＴＥ  時分割ＬＴＥ（つまり、ＴＤＤ−ＬＴＥ）
ＴＤＤ  時分割複信
ＵＥ  ユーザ機器
ＵＬ  アップリンク
Ｖ２Ｉ  路車間
Ｖ２Ｎ  車ネットワーク間
Ｖ２Ｐ  人車間
Ｖ２Ｖ  車車間
Ｖ２ｘ  車車間−路車間−人車間
ＷＡＮ  ワイドエリアネットワーク
【図１】
0006686132.tif 000002
【図２】
0006686132.tif 000003
【図３】
0006686132.tif 000004
【図４】
0006686132.tif 000005
【図５】
0006686132.tif 000006
【図６】
0006686132.tif 000007
【図７】
0006686132.tif 000008
【図８】
0006686132.tif 000009